(57)【特許請求の範囲】
【請求項１】
Ｎ（Ｎは２以上の自然数）台のＳＩＰサーバの稼動装置に対し、Ｍ（ＭはＮ未満の自然数）台のＳＩＰサーバの予備装置を有するＳＩＰサーバ復旧システムであって、
一の前記稼動装置が送信したＳＩＰメッセージ及び受信したＳＩＰメッセージのうちから最新のＳＩＰメッセージのみを前記稼動装置毎、且つユーザ毎に記録し、又、一の前記稼動装置が送信したＳＩＰメッセージ及び受信したＳＩＰメッセージから、ユーザのＳＩＰメッセージの送受相手であるユーザ及びＳＩＰプロキシサーバのＩＰアドレスを取得して、稼動装置毎、且つユーザ毎に記録する記録装置と、
一の前記稼動装置の障害発生時に、一の前記予備装置に対し、ＳＩＰメッセージの規定シーケンスと前記記録装置に記録されている該障害発生の稼動装置に係るＳＩＰメッセージとに基づいて、該障害発生の稼動装置を利用するユーザに係るＳＩＰのプロトコル上の状態遷移を設定する復旧状態設定装置と、
前記一の稼動装置の障害発生時に、前記一の予備装置に対し、前記記録装置に記録されている該障害発生の稼動装置に係るＩＰアドレスに基づいて、該障害発生の稼動装置の代わりのＳＩＰサーバとしてＳＩＰメッセージを送受するためのＳＩＰサーバ自身のＩＰアドレスと各ユーザのＳＩＰメッセージの送受相手であるユーザ及びＳＩＰプロキシサーバのＩＰアドレスを、各ユーザのＳＩＰメッセージの送受信に使用するように設定するアドレス設定装置と、
を備えたことを特徴とするＳＩＰサーバ復旧システム。
【請求項２】
Ｎ（Ｎは２以上の自然数）台のＳＩＰサーバの稼動装置に対し、Ｍ（ＭはＮ未満の自然数）台のＳＩＰサーバの予備装置と、ＳＩＰメッセージ管理装置と、復旧処理装置とを有するＳＩＰサーバ復旧システムであって、
前記ＳＩＰメッセージ管理装置は、
前記稼動装置の各々から転送される、前記稼動装置が送信したＳＩＰメッセージ及び受信したＳＩＰメッセージを受信する転送ＳＩＰメッセージ受信部と、
一の前記稼動装置が送信したＳＩＰメッセージ及び受信したＳＩＰメッセージのうちから最新のＳＩＰメッセージのみを前記稼動装置毎、且つユーザ毎に記録し、又、一の前記稼動装置が送信したＳＩＰメッセージ及び受信したＳＩＰメッセージから、ユーザのＳＩＰメッセージの送受相手であるユーザ及びＳＩＰプロキシサーバのＩＰアドレスを取得して、稼動装置毎、且つユーザ毎に記録する転送ＳＩＰメッセージ記録部と、
一の前記稼動装置の障害発生時に、前記復旧処理装置へ、前記転送ＳＩＰメッセージ記録部に記録されている該障害発生の稼動装置に係るＳＩＰメッセージ及びＩＰアドレスを送信する転送ＳＩＰメッセージ送信部と、を有し、
前記復旧処理装置は、
前記ＳＩＰメッセージ管理装置から前記障害発生の稼動装置に係るＳＩＰメッセージ及びＩＰアドレスを受信する転送ＳＩＰメッセージ受信部と、
一の前記予備装置に対し、ＳＩＰメッセージの規定シーケンスと前記転送ＳＩＰメッセージ受信部で受信したＳＩＰメッセージとに基づいて、該障害発生の稼動装置を利用するユーザに係るＳＩＰのプロトコル上の状態遷移を設定する復旧状態設定部と、
前記一の予備装置に対し、前記転送ＳＩＰメッセージ受信部で受信したＩＰアドレスに基づいて、該障害発生の稼動装置の代わりのＳＩＰサーバとしてＳＩＰメッセージを送受するためのＳＩＰサーバ自身のＩＰアドレスと各ユーザのＳＩＰメッセージの送受相手であるユーザ及びＳＩＰプロキシサーバのＩＰアドレスを、各ユーザのＳＩＰメッセージの送受信に使用するように設定するアドレス設定部と、を有する、
ことを特徴とするＳＩＰサーバ復旧システム。
【発明の詳細な説明】
【技術分野】
【０００１】
本発明は、ＳＩＰ（Session Initiation Protocol）サーバ復旧システムに関する。
【背景技術】
【０００２】
従来、ＳＩＰ（非特許文献１参照）を提供するＳＩＰサーバの障害対策に利用可能なサーバ冗長システムとして、非特許文献２，３に記載の技術が知られている。非特許文献２，３に記載の従来技術では、２台のサーバ装置を一組とし、一方をアクティブ装置、もう一方をスタンバイ装置とする。そして、アクティブ装置が実際にサービスを提供するが、該アクティブ装置で処理している情報をスタンバイ装置にそのまま全てコピーすることにより、アクティブ装置とスタンバイ装置の処理状態を常時一致させておく。これにより、アクティブ装置の障害発生時には、アクティブ装置からスタンバイ装置へ、即時に、サービスを提供する装置を切り替えることができる。
【先行技術文献】
【非特許文献】
【０００３】
【非特許文献１】M. Handley, H. Schulzrinne, E. Schooler and J. Rosenberg, “SIP: Session Initiation Protocol”, IETF RFC 3261, June 2002
【非特許文献２】インターネット＜ＵＲＬ：http://www.atmarkit.co.jp/fnetwork/rensai/lb03/lb01.html＞
【非特許文献３】インターネット＜ＵＲＬ：http://gihyo.jp/book/pickup/2008/0073＞
【発明の概要】
【発明が解決しようとする課題】
【０００４】
しかし、上述した従来技術では、アクティブ装置とスタンバイ装置を一組とするために、装置コストが大きくなるという課題がある。例えば、１００台のＳＩＰサーバを提供するためには、２００台のサーバ装置が必要となり装置コストが大きい。
【０００５】
本発明は、このような事情を考慮してなされたもので、ＳＩＰサーバの障害復旧システムとして装置コストの軽減を図ることのできるＳＩＰサーバ復旧システムを提供することを課題とする。
【課題を解決するための手段】
【０００６】
上記の課題を解決するために、本発明に係るＳＩＰサーバ復旧システムは、Ｎ（Ｎは２以上の自然数）台のＳＩＰサーバの稼動装置に対し、Ｍ（ＭはＮ未満の自然数）台のＳＩＰサーバの予備装置を有するＳＩＰサーバ復旧システムであって、一の前記稼動装置が送信したＳＩＰメッセージ及び受信したＳＩＰメッセージのうちから最新のＳＩＰメッセージのみを前記稼動装置毎、且つユーザ毎に記録し、又、一の前記稼動装置から受信したＳＩＰメッセージから該一の稼動装置の代わりのＳＩＰサーバとしてＳＩＰメッセージを送受するためのＩＰアドレスを取得して、稼動装置毎、且つユーザ毎に記録する記録装置と、一の前記稼動装置の障害発生時に、一の前記予備装置に対し、ＳＩＰメッセージの規定シーケンスと前記記録装置に記録されている該障害発生の稼動装置に係るＳＩＰメッセージとに基づいて、該障害発生の稼動装置を利用するユーザに係るＳＩＰのプロトコル上の状態遷移を設定する復旧状態設定装置と、前記一の稼動装置の障害発生時に、前記一の予備装置に対し、前記記録装置に記録されている該障害発生の稼動装置に係るＩＰアドレスに基づいて、該障害発生の稼動装置の代わりのＳＩＰサーバとしてＳＩＰメッセージを送受するためのＩＰアドレスを設定するアドレス設定装置と、を備えたことを特徴とする。
【０００７】
本発明に係るＳＩＰサーバ復旧システムは、Ｎ（Ｎは２以上の自然数）台のＳＩＰサーバの稼動装置に対し、Ｍ（ＭはＮ未満の自然数）台のＳＩＰサーバの予備装置と、ＳＩＰメッセージ管理装置と、復旧処理装置とを有するＳＩＰサーバ復旧システムであって、前記ＳＩＰメッセージ管理装置は、前記稼動装置の各々から転送される、前記稼動装置が送信したＳＩＰメッセージ及び受信したＳＩＰメッセージを受信する転送ＳＩＰメッセージ受信部と、一の前記稼動装置が送信したＳＩＰメッセージ及び受信したＳＩＰメッセージのうちから最新のＳＩＰメッセージのみを前記稼動装置毎、且つユーザ毎に記録し、又、一の前記稼動装置から受信したＳＩＰメッセージから該一の稼動装置の代わりのＳＩＰサーバとしてＳＩＰメッセージを送受するためのＩＰアドレスを取得して、稼動装置毎、且つユーザ毎に記録する転送ＳＩＰメッセージ記録部と、一の前記稼動装置の障害発生時に、前記復旧処理装置へ、前記転送ＳＩＰメッセージ記録部に記録されている該障害発生の稼動装置に係るＳＩＰメッセージ及びＩＰアドレスを送信する転送ＳＩＰメッセージ送信部と、を有し、前記復旧処理装置は、前記ＳＩＰメッセージ管理装置から前記障害発生の稼動装置に係るＳＩＰメッセージ及びＩＰアドレスを受信する転送ＳＩＰメッセージ受信部と、一の前記予備装置に対し、ＳＩＰメッセージの規定シーケンスと前記転送ＳＩＰメッセージ受信部で受信したＳＩＰメッセージとに基づいて、該障害発生の稼動装置を利用するユーザに係るＳＩＰのプロトコル上の状態遷移を設定する復旧状態設定部と、前記一の予備装置に対し、前記転送ＳＩＰメッセージ受信部で受信したＩＰアドレスに基づいて、該障害発生の稼動装置の代わりのＳＩＰサーバとしてＳＩＰメッセージを送受するためのＩＰアドレスを設定するアドレス設定部と、を有することを特徴とする。
【発明の効果】
【０００８】
本発明によれば、ＳＩＰサーバの障害復旧システムとして装置コストの軽減を図ることができるという効果が得られる。
【図面の簡単な説明】
【０００９】
【図１】本発明の一実施形態に係るＳＩＰサーバ復旧システムの構成を示すブロック図である。
【図２】同実施形態に係るＳＩＰサーバ復旧方法を説明するための概念図である。
【図３】図１に示すＳＩＰメッセージ管理装置４の構成を示すブロック図である。
【図４】図３に示す転送ＳＩＰメッセージ記録部１２の記録構成例である。
【図５】図１に示すＳＩＰプロキシサーバ復旧用装置６の構成を示すブロック図である。
【図６】本発明の一実施形態に係るＳＩＰメッセージの規定シーケンスの例である。
【発明を実施するための形態】
【００１０】
以下、図面を参照し、本発明の実施形態について説明する。
図１は、本発明の一実施形態に係るＳＩＰサーバ復旧システムの構成を示すブロック図である。図１において、ＳＩＰサーバ復旧システムは、Ｎ（Ｎは２以上の自然数）台のＳＩＰサーバの稼動装置としてのＳＩＰプロキシサーバ装置２−１〜Ｎに対し、Ｍ（ＭはＮ未満の自然数）台のＳＩＰサーバの予備装置及び復旧処理装置としてのＳＩＰプロキシサーバ復旧用装置６−１〜ＭとＳＩＰメッセージ管理装置４とを有する。本ＳＩＰサーバ復旧システムは、ＳＩＰサーバの稼動装置（以下、単に稼動装置と称する）の台数（Ｎ台）よりも少ない台数（Ｍ台）のＳＩＰサーバの予備装置（以下、単に予備装置と称する）を設けた、Ｎ対Ｍの冗長システムである。
【００１１】
ＳＩＰプロキシサーバ装置（以下、「稼動装置」と称する）２−１〜Ｎ（以下、特に区別しないときは「稼動装置２」と称する）とＳＩＰメッセージ管理装置４とＳＩＰプロキシサーバ復旧用装置６−１〜Ｍ（以下、特に区別しないときは「ＳＩＰプロキシサーバ復旧用装置６」と称する）とは、ＩＰ（Internet Protocol）で接続されている。
【００１２】
図２は、本実施形態に係るＳＩＰサーバ復旧方法を説明するための概念図である。図２において、稼動装置２は、実際のＳＩＰの処理として送信したＳＩＰメッセージ（ＩＰパケット）及び受信したＳＩＰメッセージ（ＩＰパケット）をＳＩＰメッセージ管理装置４へ転送する。
なお、稼動装置２は、ＳＩＰの処理として送信したＳＩＰメッセージ及び受信したＳＩＰメッセージに基づき、ユーザ毎にＳＩＰのプロトコル上の状態遷移（ステートマシン）を持つ。
【００１３】
ＳＩＰメッセージ管理装置４は、稼動装置２から受信したＳＩＰメッセージを記録する。このとき、ＳＩＰメッセージ管理装置４は、一の稼動装置２が送信したＳＩＰメッセージ及び受信したＳＩＰメッセージのうちから最新のＳＩＰメッセージのみを稼動装置毎、且つユーザ毎に記録する。この記録対象は、ＳＩＰシグナリングメッセージのうち、ユーザからの発呼に関する「ＩＮＶＩＴＥメッセージ」以降のＳＩＰシグナリングメッセージである。なお、ＳＩＰメッセージ管理装置４は、ＳＩＰのプロトコル上の状態遷移（ステートマシン）を持たない。
【００１４】
又、ＳＩＰメッセージ管理装置４は、稼動装置２から受信したＳＩＰメッセージ（ＩＰパケット）から、ＳＩＰメッセージの送受相手であるユーザ及びＳＩＰプロキシサーバのＩＰアドレスを取得する。ＳＩＰメッセージ管理装置４は、該取得したユーザ及びＳＩＰプロキシサーバのＩＰアドレスを、稼動装置毎、且つユーザ毎に記録する。
【００１５】
次いで、ＳＩＰメッセージ管理装置４は、一の稼動装置２の障害発生時に、一のＳＩＰプロキシサーバ復旧用装置６へ、該障害発生の稼動装置２に係る記録されている全ユーザのＳＩＰメッセージ及びＩＰアドレスを供給する。
【００１６】
次いで、ＳＩＰプロキシサーバ復旧用装置６は、ＳＩＰメッセージ管理装置４から供給されたＳＩＰメッセージ及びＩＰアドレスに基づいて、自己の予備装置に対し、ＳＩＰのステートマシンの再現及びＩＰアドレスの設定を行う。該ステートマシンの再現では、予備装置に対し、障害発生の稼動装置２のステートマシンを再現する。該ＩＰアドレスの設定では、予備装置に対し、障害発生の稼動装置２の代わりのＳＩＰサーバとしてＳＩＰメッセージを送受するためのＩＰアドレスを設定する。これにより、該予備装置は、障害発生の稼動装置２の代わりのＳＩＰサーバとして、障害が発生したＳＩＰサーバを利用していた全ユーザのＳＩＰメッセージの送受信を継続することができる。
【００１７】
図３は、図１に示すＳＩＰメッセージ管理装置４の構成を示すブロック図である。図３において、ＳＩＰメッセージ管理装置４は、転送ＳＩＰメッセージ受信部１０と転送ＳＩＰメッセージ記録部１２と障害復旧指示部１４と転送ＳＩＰメッセージ送信部１６とを有する。
【００１８】
転送ＳＩＰメッセージ受信部１０は、稼動装置２−１〜Ｎの各々から転送される、各稼動装置２が送信したＳＩＰメッセージ及び受信したＳＩＰメッセージを受信する。
【００１９】
転送ＳＩＰメッセージ記録部１２は、一の稼動装置２が送信したＳＩＰメッセージ及び受信したＳＩＰメッセージのうちから、最新のＳＩＰメッセージのみを稼動装置２毎、且つユーザ毎に記録する。この記録対象は、ＳＩＰシグナリングメッセージのうち、ユーザからの発呼に関する「ＩＮＶＩＴＥメッセージ」以降のＳＩＰシグナリングメッセージである。
【００２０】
又、転送ＳＩＰメッセージ記録部１２は、一の稼動装置２から受信したＳＩＰメッセージ（ＩＰパケット）から、該一の稼動装置２のＳＩＰメッセージの送受相手であるユーザ及びＳＩＰプロキシサーバのＩＰアドレスを取得する。ＳＩＰメッセージ管理装置４は、該取得したユーザ及びＳＩＰプロキシサーバのＩＰアドレスを、稼動装置毎、且つユーザ毎に記録する。
【００２１】
図４は、転送ＳＩＰメッセージ記録部１２の記録構成例である。図４の例では、稼動装置２の識別子（稼動装置ＩＤ）に関連付けて、ユーザの識別子（ユーザＩＤ）と該ユーザの最新のＳＩＰメッセージのテキストデータ（ＳＩＰメッセージデータ）と該ユーザのＳＩＰメッセージの送受相手であるユーザ及びＳＩＰプロキシサーバのＩＰアドレスのテキストデータ（ＩＰアドレスデータ）との組が記録される。
【００２２】
障害復旧指示部１４は、一の稼動装置２の障害発生時に、転送ＳＩＰメッセージ送信部１６に対し、該障害発生の稼動装置２の代わりのＳＩＰサーバとして稼動させる一の予備装置に対応するＳＩＰプロキシサーバ復旧用装置６を指定する。転送ＳＩＰメッセージ送信部１６は、該障害発生の稼動装置２の稼動装置ＩＤに関連付けられている全ユーザＩＤのＳＩＰメッセージデータ及びＩＰアドレスデータを転送ＳＩＰメッセージ記録部１２から読み出し、該読み出した全ユーザＩＤのＳＩＰメッセージデータ及びＩＰアドレスデータを、障害復旧指示部１４から指定されたＳＩＰプロキシサーバ復旧用装置６へ送信する。
【００２３】
図５は、図１に示すＳＩＰプロキシサーバ復旧用装置６の構成を示すブロック図である。図５において、ＳＩＰプロキシサーバ復旧用装置６は、ＳＩＰサーバの復旧処理装置としての復旧処理部２０と、ＳＩＰサーバの予備装置としてのＳＩＰプロキシサーバ部４０とを有する。復旧処理部２０は、転送ＳＩＰメッセージ受信部２２と復旧状態設定部２４とＳＩＰ規定シーケンス記憶部２６とアドレス設定部２８とを有する。
【００２４】
転送ＳＩＰメッセージ受信部２２は、ＳＩＰメッセージ管理装置４から、障害発生の稼動装置２に係るＳＩＰメッセージデータ及びＩＰアドレスデータを受信する。これにより、復旧処理部２０は、障害発生の稼動装置２に係る全ユーザの最新のＳＩＰメッセージのテキストデータ及びＩＰアドレスのテキストデータを取得する。
【００２５】
復旧状態設定部２４は、ＳＩＰプロキシサーバ部（予備装置）４０に対し、ＳＩＰメッセージの規定シーケンスと転送ＳＩＰメッセージ受信部２２で受信したＳＩＰメッセージデータとに基づいて、障害発生の稼動装置２を利用するユーザに係るＳＩＰのプロトコル上の状態遷移を設定する。ＳＩＰメッセージの規定シーケンスは、事前に、ＳＩＰ規定シーケンス記憶部２６に格納されている。
【００２６】
図６は、ＳＩＰメッセージの規定シーケンス（以下、ＳＩＰ規定シーケンスと称する）の例である。ＳＩＰ規定シーケンスは、ユーザとＳＩＰプロキシサーバとの間、及び、ＳＩＰプロキシサーバ同士の間でそれぞれやり取りされるＳＩＰメッセージのシーケンスが規定されたものである。従って、あるユーザのＳＩＰメッセージデータで特定されるＳＩＰメッセージがＳＩＰ規定シーケンス上の何れのＳＩＰメッセージに対応するのかを判定することにより、当該ユーザのＳＩＰ状態を特定することができる。なお、ＳＩＰ規定シーケンスは、ＳＩＰメッセージのテキストデータ中の特定のデータに基づいて、ＳＩＰ規定シーケンス上の特定のＳＩＰメッセージを判定するための情報を有するものとする。これにより、あるＳＩＰメッセージのテキストデータに基づいて、該ＳＩＰメッセージがＳＩＰ規定シーケンス上の何れのＳＩＰメッセージに対応するのかを判定することができる。
【００２７】
復旧状態設定部２４がＳＩＰプロキシサーバ部（予備装置）４０に対して復旧させるＳＩＰのプロトコル上の状態遷移を設定することにより、障害発生の稼動装置２のＳＩＰのステートマシンがＳＩＰプロキシサーバ部（予備装置）４０で再現される。
【００２８】
アドレス設定部２８は、ＳＩＰプロキシサーバ部（予備装置）４０に対し、転送ＳＩＰメッセージ受信部２２で受信したＩＰアドレスデータに基づいて、障害発生の稼動装置２の代わりのＳＩＰサーバとしてＳＩＰメッセージを送受するためのＩＰアドレスを設定する。アドレス設定部２８は、あるユーザのＩＰアドレスデータに基づいて、該ユーザのＳＩＰメッセージの送受相手であるユーザ及びＳＩＰプロキシサーバのＩＰアドレスを取得する。そして、アドレス設定部２８は、該ユーザのＳＩＰメッセージの送受相手であるユーザ及びＳＩＰプロキシサーバのＩＰアドレスを、ＳＩＰプロキシサーバ部（予備装置）４０に設定する。これにより、ＳＩＰプロキシサーバ部（予備装置）４０は、各ユーザのＳＩＰメッセージの送受相手であるユーザ及びＳＩＰプロキシサーバのＩＰアドレスを取得する。
【００２９】
これにより、ＳＩＰプロキシサーバ部（予備装置）４０は、障害発生の稼動装置２の代わりのＳＩＰサーバとして、全ユーザのＳＩＰメッセージの送受信を継続することができる。
【００３０】
上述した実施形態によれば、ＳＩＰサーバの稼動装置よりも少ない台数のＳＩＰサーバの予備装置でＳＩＰサーバの障害復旧システムを構成することができるので、装置コストの軽減を図ることが可能になる。
【００３１】
又、稼動装置が送信したＳＩＰメッセージ及び受信したＳＩＰメッセージのうちから最新のＳＩＰメッセージのみを記録すればよいので、記録装置のコストを低減することができる。
【００３２】
又、障害発生の稼動装置に係る一のユーザの最新のＳＩＰメッセージがＳＩＰメッセージの規定シーケンス上の何れのＳＩＰメッセージに対応するのかを判定することにより、当該一のユーザに係るＳＩＰのプロトコル上の状態遷移を特定することができる。これにより、短時間で、障害発生の稼動装置のＳＩＰのステートマシンを予備装置で再現することができる。この結果、ＳＩＰサーバの障害発生時に、円滑に、予備のＳＩＰサーバに切り替えることができるので、信頼性の高いＳＩＰサーバシステムを提供することが可能になる。
【００３３】
以上、本発明の実施形態について図面を参照して詳述してきたが、具体的な構成はこの実施形態に限られるものではなく、本発明の要旨を逸脱しない範囲の設計変更等も含まれる。
例えば、図３に示すＳＩＰメッセージ管理装置４又は図５に示す復旧処理部２０が行う処理の各ステップを実現するためのプログラムをコンピュータ読み取り可能な記録媒体に記録して、この記録媒体に記録されたプログラムをコンピュータシステムに読み込ませ、実行することにより、ＳＩＰサーバ復旧処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００３４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３５】
２−１〜Ｎ…ＳＩＰプロキシサーバ装置（稼動装置）、４…ＳＩＰメッセージ管理装置、６−１〜Ｍ…ＳＩＰプロキシサーバ復旧用装置、１０…転送ＳＩＰメッセージ受信部、１２…転送ＳＩＰメッセージ記録部、１４…障害復旧指示部、１６…転送ＳＩＰメッセージ送信部、２０…復旧処理部、２２…復旧処理部、２２…転送ＳＩＰメッセージ受信部、２４…復旧状態設定部、２６…ＳＩＰ規定シーケンス記憶部、２８…アドレス設定部、４０…ＳＩＰプロキシサーバ部（予備装置）
【図１】
0005417120.tif 000002
【図２】
0005417120.tif 000003
【図３】
0005417120.tif 000004
【図４】
0005417120.tif 000005
【図５】
0005417120.tif 000006
【図６】
0005417120.tif 000007